(57)【要約】【課題】  本発明の課題は、睡眠中、着用者の頭部から脱落したり、顔側にずれたりすることがない頭部フードを提供することにある。【解決手段】  着用者の頭部及び襟首まわりを一体的に包囲し顔部に相当する前面を開放したフード体１と、該フード体１の下端縁１ａ及び顔部開放縁１ｂから延設される左右一対のフード締付帯３と、該フード締付帯３に備えられる固定部材４とから構成した。フード締付帯３を引っ張り、固定部材４で顎下付近で係合すると顔周りと首周りを締め付けて、フード本体１が着用者の頭部に密着されるものである。【選択図】図１
2006328616.tif 000002
【特許請求の範囲】
【請求項１】
着用者の頭部及び襟首周りを一体的に包囲し顔部に相当する前面を開放したフード体と、該フード体の下端縁及び顔部開放縁から延設される左右一対のフード締付帯と、該フード締付帯に備えられる固定部材とからなり、前記フード体を伸縮性・通気性・保温性を有する素材で構成し、前記フード締付帯を固定部材を介して顎下付近で連係させフード体の下端縁及び顔面開放縁を締め付けて着用者の頭部に密着させるようにしたことを特徴とする頭部フード。
【請求項２】
前記フード体の外側両側部にマスクの耳掛部を引っ掛ける係止部を形成したことを特徴とする上記請求項１記載の頭部フード。
【発明の詳細な説明】
【技術分野】
【発明の詳細な説明】
【技術分野】
【０００１】  本発明は、頭部に着用されるフードに関し、特に、安定した装着状態を得るための頭部フードに関する。
【背景技術】
【０００２】  冬期など外気温が低い環境下で、頭や耳・襟元等を露出させて睡眠することは辛いものであり、熟睡を妨害する要因の一つになっている。このため睡眠時に、耳まで覆うことができるニット帽を着用したり、防寒用のフードを被ったりして寒さ対策を施していた。【０００３】  このうち、防寒用フードとしては、特開平１１−６１５４４号公報に開示されたものが知られている。この防寒用フードは、頭部を覆う袋状のフード本体に顔出し用の開口部を形成し、この顔出し用開口部の周縁部及びフード本体の下端開口部の周縁部に調節紐が挿通されていて、これら各調節紐を締め付けることによりフード本体を顔周り及び首周りに密着させ、頭部を外部の冷気から保護するように構成されている。【０００４】  しかしながら、このような従来のフードを睡眠時に使用した場合、いくら調節紐で顔周り及び首周りを締め付けたとしても、袋状のフード本体が睡眠中の寝返りなどによって頭部から脱げてしまったり、顔出し用開口部がずれてフード本体で顔を覆ってしまったりすることがあり、睡眠時の防寒具としては十分に機能しないのが現状である。また、上記公報の図３（Ａ）に示されるように、調整紐の固定金具が顔部の近傍に位置することになり、非常に危険である。【０００５】  また、このようなフードを着用したとしても、顔部は常に露出されているので、乾燥による肌荒れやウィルスの吸い込みを予防することはできない。この点、上記公報では、フード本体下端開口部を内方に折り返して着用者の口元を覆うマスクとして機能させる構成が開示されているが、これは一時的な使用を想定したものであり、日常的な使用としては衛生面からも不向きである。フードを着用した状態で市販のマスクを装着することも考えられるが、睡眠中に常時マスクを装着していると耳が痛くなるという問題がある。
【特許文献１】  特開平１１−６１５４４号公報
【発明が解決しようとする課題】
【０００６】  そこで本発明の第１の課題は、睡眠中、着用者の頭部から脱落したり、顔側にずれたりすることがない頭部フードを提供することにある。
【０００７】  また、本発明の第２の課題は、着用者の希望に応じてマスクを装着することができる頭部フードを提供することにある。
【課題を解決するための手段】
【０００８】  このような第１の課題を解決するため本発明は、着用者の頭部及び襟首周りを一体的に包囲し顔部に相当する前面を開放したフード体と、該フード体の下端縁及び顔部開放縁から延設される左右一対のフード締付帯と、該フード締付帯に備えられる固定部材とからなり、前記フード体を伸縮性・通気性・保温性を有する素材で構成し、前記フード締付帯を固定部材を介して顎下付近で連係させフード体の下端縁及び顔面開放縁を締め付けて着用者の頭部に密着させるようにしたものである。
【０００９】  また、第２の課題を解決するために本発明は、フード体の外側両側部にマスクの耳掛部を引っ掛ける係止部を形成したものである。
【発明の効果】
【００１０】  請求項１に記載の頭部フードによれば、着用者は袋状のフード体を頭部に装着し、このフード体の下端縁及び顔部開放縁から延設される左右一対のフード締付帯を引っ張ってから、顎下でこのフード締付帯を固定部材により固定することで、フード本体を顔周りと襟首周りの２つのラインで密着させることができ、フード体は頭部からずれることなくきわめて良好な装着状態が得られる。
【００１１】  これにより、このフードを睡眠時に使用すれば、寝返り等でフードが脱げたり、ずれたりすることがなくなるので、頭・耳・首元の冷えが抑制され、快適な睡眠が得られる。また、起床後もそのまま着用しておけば、耳の周囲や首筋などからの体温放熱が抑えられ、急激な温度変化による血管収縮からくる脳卒中などの予防することができる。更に、このフードを屋外作業に使用すれば、活発な作業中によってもずれることがないので、防寒具として最適であり、視界を遮るといった問題もなく安全に作業を行うことができる。
【００１２】  請求項２に記載の頭部フードによれば、フード体の上から口鼻を覆う市販のマスクを自在に装着することができ、しかもフード体が頭部に密着して装着されているので口元からずれることなくきわめて良好な装着状態が得られる。
【００１３】  これにより、マスクを取り付けて眠っても、耳が痛くなることがなく、マスク装着による効果、つまり肌荒れの防止・風邪の予防・花粉症対策を確実に得ることができる。
【発明を実施するための最良の形態】
【００１４】  フード本体及びフード締付帯をフリース素材で一体形成し、左右一対に備えたフード締付帯を着用者の顎下付近で面ファスナーにより固定するようにした形態が最良の実施形態である。
【実施例１】
【００１５】  以下、本発明の実施例１について図面を用いて説明する。図１は本実施例１の頭部フードを示す外観図である。
１はフード本体で、全体が上端を閉塞し下端を開放した袋状に形成され、前面部に着用者の顔部を露出するための切欠部２を有している。フード本体１は、少なくても着用者の頭部から襟首周りにかけてが覆われる大きさを有し、伸縮性・通気性・保温性を有する素材で縫製されている。尚、ここでの素材は、肌触りが良く、コストも安価なフリースが最適であるが、特にフリースに限定されるものではない。【００１６】  ３はフード締付帯で、フード本体１の首周りラインを形成するフード下端の周縁部１ａと、フード本体１の顔周りラインを形成する切欠部２の周縁部１ｂとから延設された帯状体であり、着用者の顎下付近で重合する程度の長さでフード本体１と一体的に左右一対で備えられている。【００１７】  このフード締付帯３には、締め付け具合を自在に調整するための固定部材４が備えられている。固定部材４は、左右一方のフード締付帯３の外面に縫着された比較的長めの雄形面ファスナー４ａと、左右他方のフード締付帯３の内面に縫着された雌形面ファスナー４ｂとから構成されている。この固定部材４により、フード締付帯３の締め付け具合は、着用者の頭部輪郭に応じて任意に調整することが可能になる。【００１８】  本実施例１に係る頭部フードは、上記の如く構成されるものであり、図２に示すように、フード本体１を被って、フード締付帯３を矢印の方向に引っ張ると、フード下端の周縁部１ａが着用者の襟首周りに密着すると同時に切欠部２の周縁部１ｂが着用者の顔周りに密着することになり、この２つのラインで着用者の輪郭にフィットしてきわめて良好な装着状態が得られる。つまり、調整紐などの付属体がなくても、フード締付帯３を顎下で係合するといった、いたって簡単な装着作業だけで、顔周りと襟首周りが着用者に適した締め具合となり、睡眠や激しい作業によっても脱げたりずれたりすることのないフィット感が得られるのである。結果的に、帽子と襟巻きとが兼用された防寒着となり、睡眠時や屋外作業などで絶大な防寒性能を発揮するものである。
【実施例２】
【００１９】  続いて、本発明の実施例２を図面を用いて説明する。図３は本実施例２の頭部フードを示す外観図である。
本実施例２の頭部フードは、上記した実施例１の頭部フードの両側面に、市販されているマスクの耳掛Ｍを引っ掛けるマスク係止体５を備えた点に特徴を有している。このマスク係止体５は、図５に示すように、一端をフード本体側に縫着し、他端を自由端とした端片状をなし、本体縫着側に雌形面ファスナー５ａを、自由端側に雄形面ファスナー５ｂを備え、それぞれ面ファスナーを接合させて、マスクの耳掛Ｍを引掛け固定するようになっている。むろん、この係止体の形状は特に限定されるものではなく、爪状に形成してマスクの耳掛Ｍの弾性を利用して固定する等様々な形態が考えられる。【００２０】  このように、本実施例２に係る頭部フードは、市販のマスクをフード本体に装着させることができるので、睡眠中にマスクしても耳が痛くなるといった不具合がない。また、市販のマスクであるため、汚れたら新しいものと交換すれば、常に清潔な状態で使用することできるのである。
【実施例３】
【００２１】  次に、本発明の実施例３を図面を用いて説明する。図６はマスク耳掛Ｍを係止する別の構成を示す説明図である。実施例３におけるマスク係止体６は、図６（Ａ）に示すように、フード本体に縫着される縫着片６ａと、この縫着片６ａに一体形成される自由片６ｂとから構成される。フード本体には、このマスク係止体６の自由片６ｂが収納可能な袋部７が形成される。マスク係止体６は、柔軟性と保形性を合わせ持つ素材で形成されるもので、質感や高級感があるレザーが最適である。このマスク係止体６の自由片６ｂには、袋部７の開口部７ａよりも幅広の抜止部６ｃが形成されており、袋部７に収納したときに外れにくい構造になっている。【００２２】  このような構成のマスク係止体６によれば、マスクを取り付けないときは、係止体６の自由片６ｂを袋部７に収納したままにしておき、通常のフードと変わらない状態で使用される。一方、マスクを装着するときは、一旦、自由片６ｂを袋部７から引き抜き、マスクの耳掛Ｍを通してから再び袋部７に収納する。すると、図６（Ｂ）に示すように、すっきりとした装着状態が得られる。自由片６ｂの収納状態は、先端に形成した抜止部６ｃにより、袋部７から容易に外れることがない。尚、係止体６の縫着片６ａは、それ自体にデザイン性を持たせたり、表面にキャラクタ等の図柄を表現したり、様々な工夫が可能であり、商品価値を高めのに役立つものである。
【産業上の利用可能性】
【００２３】  睡眠時に装着すれば、頭・耳・襟元の冷えが抑制されて熟睡が得られる安眠グッズとして利用できる。日常的に装着すれば、耳の周囲や首筋などからの体温放熱が抑えられて脳卒中などを予防する医療補助具として利用できる。屋外作業で防寒具として利用できる。
【図面の簡単な説明】
【００２４】
【図１】  本発明の実施例１の頭部フードを示す外観図である。
【図２】  同頭部フードの装着状態を示す説明図である。
【図３】  本発明の実施例２の頭部フードを示す外観図である。
【図４】  同頭部フードの装着状態を示す説明図である。
【図５】  マスク係止体５の形態を示す説明図である。
【図６】  マスク係止体６の形態を示す説明図である。
【符号の説明】
【００２５】    １    フード本体
１ａ  フード下端の周縁部
１ｂ  切欠部の周縁部
２    切欠部（顔部開放部）
３    フード締付帯
４    固定部材
４ａ  雄形面ファスナー
４ｂ  雌形面ファスナー
５    マスク係止体
５ａ  雌形面ファスナー
５ｂ  雄形面ファスナー
６    マスク係止体
６ａ  縫着片
６ｂ  自由片
７    袋部
７ａ  開口部
【図１】
2006328616.tif 000003
【図２】
2006328616.tif 000004
【図３】
2006328616.tif 000005
【図４】
2006328616.tif 000006
【図５】
2006328616.tif 000007
【図６】
2006328616.tif 000008